(57)【要約】【課題】不快感がなく、かつ焼き付けを生じることのない表示装置を提供する。【解決手段】互いに直交して配列された列走査線８１、８２、８３及び行走査線９１、９２、９３と、これらの交差部にマトリクス状に配置され、アノード１０が列走査線８１、８２、８３に、カソード１１が行走査線９１、９２、９３に接続された画素を含む発光パネル２と、ネガティブ表示状態の第１のクロック及びポジティブ表示状態の第２のクロックを出力する第１及び第２クロック発生回路３、４と、第１のクロックに対して第２のデータクロックをＮ倍の時間で切り換えるスイッチと、ラインクロックを発生する回路と、前記第１或いは第２のクロックに基づいて、階調データに応じた時間だけオンして列走査線８１、８２、８３に電流を供給した後、１ライン分の階調データが全て出力された後、ラインクロックで走査電圧を行走査線９１、９２、９３に供給して、発光パネル２を発光させる。【選択図】      図１
2004151188.tif 000002
【特許請求の範囲】
【請求項１】
列方向に並行して配列された複数の列走査線、行方向に並行して配列された複数の行走査線、前記複数の列走査線と前記複数の行走査線との交差部にマトリクス状に配置され、アノードが前記複数の列走査線に、カソードが前記複数の行走査線に接続された有機ＥＬ素子を有する複数の画素を含む発光パネルと、
ネガティブ表示状態の第１のデータクロックを出力する第１クロック発生回路と、
前記第１のデータクロックの周期を１／Ｎ（Ｎは正の数）にして、ポジティブ表示状態の第２のデータクロックを出力する第２クロック発生回路と、
前記第１クロック発生回路から出力された第１のデータクロックに対して前記第２クロック発生回路から出力された第２のデータクロックをＮ倍の時間で切り換えるスイッチと、
前記第１或いは第２のデータクロックに基づいて、ラインクロックを発生するラインクロック発生回路と、
前記第１或いは第２のデータクロックに基づいて、階調データに応じた時間だけオンして前記複数の列走査線に電流を供給する第１ドライブ回路と、
１ライン分の階調データが全て出力された後、前記ラインクロック発生回路からラインクロックで走査電圧を前記複数の行走査線に供給して、前記有機ＥＬ素子を発光させる第２ドライブ回路と、
からなることを特徴とする表示装置。
【発明の詳細な説明】
【０００１】
【発明の属する技術分野】
本発明は、ユーザへの不快感を与えずに焼き付きを防止する表示装置に関するものである。
【０００２】
【従来の技術】
近年、小型機器の発光パネルディスプレイとして、有機エレクトロルミネッセンス素子（有機ＥＬ素子）が盛んに研究され実用化され始めている。
有機ＥＬ素子は、視野角が広いこと、コントラストが高いこといった特徴を有し、カーステレオの表示パネル等に利用されつつある。
この有機ＥＬ素子を用いた表示装置は、例えば、発光層を含む複数の画素がマトリクス状に配列された発光パネルと、前記発光パネルを垂直走査する陽極ドライブ回路と、前記発光パネルを水平走査する陰極ドライブ回路と、からなる。そして、外部回路からのデータクロックに基づいて陽極ドライブ回路から１垂直期間のデータ信号を発光パネルの画素に供給し、データクロックに同期したラインクロックに基づいて陰極ドライブ回路から１水平期間の選択信号を前記した画素に供給して、画素における発光層を発光させることによって表示が可能となる。
【０００３】
この有機ＥＬ素子においては、発光パネルの表示が長時間変わらない状態が続くと、その発光に寄与している画素だけが劣化して輝度低下を生じる。このため、発光パネル全面をムラなく発光させることができなくなり、焼き付きを生じるといった問題を生じていた。
この対策として、例えば、特開２００２−２０７４７５号公報開示の表示装置が考えられた。
即ち、特開２００２−２０７４７５号公報には、マトリクス状に複数の画素が配列された有機ＥＬパネルとこの有機ＥＬパネル上に貼着され、前記複数の画素に対応した操作スイッチ部を有する感圧シートからなるタッチパネルと、有機ＥＬパネルを駆動する駆動回路と、乗用車に装備したエアコンディショナを電子制御するエアコンＥＣＵと、乗用車に装備したオーディオを電子制御するオーディオＥＣＵと、感圧シートの操作スイッチ部をオンして、作動モードを特定して、駆動回路、エアコンＥＣＵ及びオーディオＥＣＵの制御処理を行うマイクロコンピュータと、からなり、スクリーンセイバー状態で、有機ＥＬパネル全体をポジティブ表示状態からネガティブ表示状態に、又その逆の状態にゆっくりと明るさを変化させて、焼き付きを防止する表示装置が記載されている。
【０００４】
【特許文献１】
特開２００２−２０７４７５号公報（第３〜５頁、第１−５図）
【０００５】
【発明が解決しようとする課題】
しかしながら、通常の画像表示においては、ネガティブ表示状態は、ポジティブ表示状態に比較して見づらいため、上記のようにネガティブ表示状態とポジティブ表示状態とが半々の場合には、画像を見ているユーザにとっては不快感を生じていた。
そこで、本発明は、上記のような問題点を解消するためになされたもので、不快感がなく、かつ焼き付けを生じることのない表示装置を提供することを目的とする。
【０００６】
【課題を解決するための手段】
本発明は、列方向に並行して配列された複数の列走査線、行方向に並行して配列された複数の行走査線、前記複数の列走査線と前記複数の行走査線との交差部にマトリクス状に配置され、アノードが前記複数の列走査線に、カソードが前記複数の行走査線に接続された有機ＥＬ素子を有する複数の画素を含む発光パネルと、ネガティブ表示状態の第１のデータクロックを出力する第１クロック発生回路と、前記第１のデータクロックの周期を１／Ｎ（Ｎは正の数）にして、ポジティブ表示状態の第２のデータクロックを出力する第２クロック発生回路と、前記第１クロック発生回路から出力された第１のデータクロックに対して前記第２クロック発生回路から出力された第２のデータクロックをＮ倍の時間で切り換えるスイッチと、前記第１或いは第２のデータクロックに基づいて、ラインクロックを発生するラインクロック発生回路と、前記第１或いは第２のデータクロックに基づいて、階調データに応じた時間だけオンして前記複数の列走査線に電流を供給する第１ドライブ回路と、１ライン分の階調データが全て出力された後、前記ラインクロック発生回路からラインクロックで走査電圧を前記複数の行走査線に供給して、前記有機ＥＬ素子を発光させる第２ドライブ回路と、からなることを特徴とする表示装置を提供する。
【０００７】
【発明の実施の形態】
本発明の実施形態における表示装置及びその駆動方法ついて図１〜図６を用いて説明する。
図１は、本発明の実施形態における表示装置を示す概略ブロック図である。図２は、図１における発光パネル近傍の拡大図である。図３は、階調データ、データクロック及びラインクロックの関係を示す図である。図４は、ポジティブ表示状態の時、陽極ドライブ回路及び陰極ドライブ回路内のスイッチの切り換え時間を示す図である。図５は、ネガティブ表示状態の時、陽極ドライブ回路及び陰極ドライブ回路内のスイッチの切り換え時間を示す図である。図６は、ネガティブ表示状態及びポジティブ表示状態における画像を示す図である。
以下では、３本の列走査線及び３本の行走査線の交差部に有機ＥＬ素子を有する画素がマトリクス状に配置されている場合について説明するが、これ以上の場合でも同様である。
【０００８】
図１及び図２に示すように、本発明の実施形態の表示装置１は、列方向に並行して配列された列走査線８１、８２、８３行方向に並行して配列された行走査線９１、９２、９３、列走査線８１、８２、８３と行走査線９１、９２、９３との交差部にマトリクス状に配置され、有機ＥＬ素子Ｍのアノード１０が列走査線８１、８２、８３に、カソード１１が行走査線９１、９２、９３に接続された有機ＥＬ素子Ｍを有する複数の画素ＰＸを含む発光パネル２と、ネガティブ表示状態のデータクロックを出力するクロック発生回路３と、クロック発生回路３から出力されたデータクロックの周期を１／Ｎ（Ｎは正の数）にして、ポジティブ表示状態の１／Ｎデータクロックを出力する１／Ｎ分周回路４と、クロック発生回路３から出力されたデータクロックに対して１／Ｎ分周回路４から出力された１／ＮデータクロックをＮ倍の時間で切り換えるスイッチＳＷと、スイッチＳＷで切り換えられたデータクロック或いは１／Ｎデータクロックに基づいてラインクロックを発生するラインクロック発生回路５と、データクロック或いは１／Ｎデータクロックに基づいて階調データに応じた時間だけオンして発光パネル２の列走査線８１、８２、８３に供給する陽極ドライブ回路６と、１ライン分の階調データが全て出力された後、ラインクロック発生回路５から発生するラインクロックのタイミングで発光パネル２の行走査線９１、９２、９３に走査電圧を供給して有機ＥＬ素子Ｍを発光させる陰極ドライブ回路７と、からなる。
【０００９】
陽極ドライブ回路６は、図示しない定電流源と列走査線８１、８２、８３と接続され、１データクロック或いは１／Ｎデータクロックのタイミングで階調データに基づいた階調データを列走査線８１、８２、８３に供給する複数の切り換えスイッチＣＳ１、ＣＳ２、ＣＳ３を有している。
【００１０】
陰極ドライブ回路７は、行走査線９１、９２、９３に接続され、ラインクロックのタイミングで電源電圧ＶＤＤと接地電位ＧＮＤとを切り換え、電源電圧ＶＤＤか接地電位ＧＮＤのいずれかを行走査線９１、９２、９３に印加する切り換えスイッチＲＳ１、ＲＳ２、ＲＳ３を有している。更に、陰極ドライブ回路７は、電源電圧ＶＤＤと接地電位ＧＮＤを供給する図示しない定電圧源を有する。前記した走査電圧は、接地電位ＧＮＤである。
この電源電圧ＶＤＤは、有機ＥＬ素子Ｍに対して逆バイアス電圧であり、切り換えスイッチＲＳ１、ＲＳ２、ＲＳ３が電源電圧ＶＤＤ側にある時は、列走査線８１、８２、８３から供給される階調データは、行走査線９１、９２、９３側には流れない。
【００１１】
なお、クロック発生回路３から出力されるデータクロックのタイミングで表示される画像は、ネガティブ表示状態（図１中、スイッチＳＷをＮ側にする）を表示し、１／Ｎ分周回路４から出力される１／Ｎデータクロックのタイミングで表示される画像は、ポジティブ表示状態（図１中、スイッチＳＷをＰ側にする）を表示する。図３に示すように、階調データには、データクロックの１周期に１画素のデータがあり、１ライン分の階調データが全て出力されると、次のラインに移行するラインクロックがラインクロック発生回路５から出力される。図３中、階調データの番号は、発光パネル２の最左から順番に第１画素、第２画素、…、第２００画素を示している。
【００１２】
次に、その動作について説明する。
まずは、ポジティブ表示状態の場合について考える。即ち、スイッチＳＷは、Ｐ側に接続され、１／Ｎ分周回路４から発生する１／Ｎデータクロックを用いる。
階調データは、６ビットデータとし、列走査線８１、８２、８３に供給される階調データは、それぞれに対応して（１，１，０，０，０，０）、（１，０，０，０，０，０）、（０，１，０，０，０，０）である。
【００１３】
スイッチＳＷをＰ側にしてポジティブ表示状態とし、１／Ｎ分周回路４から１／Ｎデータクロックを出力し、この１／Ｎデータクロックをラインクロック発生回路５及び陽極ドライブ回路６に供給する。ラインクロック発生回路５からは、１／Ｎデータクロックに基づいたラインクロックを陰極ドライブ回路７に供給する。
【００１４】
図２に示すように、陽極ドライブ回路６では、階調データに応じた時間だけ切り換えスイッチＣＳ１をオンして図示しない定電流源からの電流を有機ＥＬ素子Ｍへ供給する。列走査線８１に階調データを供給する。更に、階調データに応じた時間だけ切り換えスイッチをＣＳ２、ＣＳ３同時にオンして、図示しない定電流源からの電流を有機ＥＬ素子Ｍへ供給する。こうして、１ライン分の階調データを列走査線８２、８３に供給する。
【００１５】
ここでは、階調データは以下の通りとする。
即ち、図４（Ａ）に示すように、列走査線８１に供給される階調データは、１周期の４８／６３＝０．７６だけ切り換えスイッチＣＳ１をオンして供給される電流である。
図４（Ｂ）に示すように、列走査線８２に供給れる階調データは、１周期の３２／６３＝０．５１だけ切り換えスイッチＣＳ２をオンして供給される電流である。
図４（Ｃ）に示すように、列走査線８３に供給される階調データは、１周期の１６／６３＝０．２５だけ切り換えスイッチＣＳ３をオンして供給される電流である。
【００１６】
次に、図４（Ｄ）に示すラインクロック発生回路５から供給されるラインクロックのタイミングで陰極ドライブ回路７の切り換えスイッチＲＳ１を接地電位ＧＮＤ側に、切り換えスイッチＲＳ２、ＲＳ３を電源電圧ＶＤＤ側にして、走査電圧により行走査線９１を走査する。前記したように、ここでいう走査電圧は、接地電位ＧＮＤである。
【００１７】
この結果、列走査線８１、８２、８３と行走査線９１の各交差部における画素ＰＸの有機ＥＬ素子Ｍは、列走査線８１、８２、８３から供給された図４（Ａ）〜（Ｃ）に示す切り換えスイッチＣＳ１、ＣＳ２、ＣＳ３がオンになり、行走査線９１側に走査電圧が走査された時だけ発光する。
【００１８】
次に、図４（Ｅ）ラインクロック発生回路５から供給されるラインクロックのタイミングで陰極ドライブ回路７の切り換えスイッチＲＳ２を接地電位ＧＮＤ側に、切り換えスイッチＲＳ１、ＲＳ３を電源電圧ＶＤＤ側にして、走査電圧により行走査線９２を走査する。この結果、列走査線８１、８２、８３と行走査線９２の各交差部における画素ＰＸの有機ＥＬ素子Ｍは、列走査線８１、８２、８３から供給された図４（Ａ）〜（Ｃ）に示す切り換えスイッチＣＳ１、ＣＳ２、ＣＳ３がオンになり、行走査線９２に走査電圧が走査された時だけ発光する。以下同様の動作を行って発光パネル２にポジティブ表示画像を得ることができる。
【００１９】
ネガティブ表示状態の場合は、スイッチＳＷは、Ｎ側に接続され、クロック発生回路３から発生するデータクロックを用いること以外は前記したと同様である。
データクロック周期を１／Ｎに短くして、ライン走査のタイミングでＮ倍速めると有機ＥＬ素子Ｍの劣化はＮ倍速くなる。よって、スイッチＳＷをネガティブ表示状態のＮ側にする時間は、ポジティブ表示状態のＰ側にする時間の１／Ｎとする。画素ＰＸの有機ＥＬ素子Ｍが発光している時間は、ポジティブ表示状態の１／Ｎとなる。ネガティブ表示状態の場合に列走査線８１、８２、８３に供給される階調データを図５に示す。
【００２０】
この際、階調データは、６ビットデータとし、列走査線８１、８２、８３に供給される階調データは、それぞれに対応して（０，０，１，１，１，１）、（０，１，１，１，１，１）、（１，０，１，１，１，１）である。図５中、（Ａ）は、切り換えスイッチＣＳ１をオンして供給される電流、（Ｂ）は、切り換えスイッチＣＳ２をオンして供給される電流、（Ｃ）は、切り換えスイッチＣＳ３をオンして供給される電流、（Ｄ）は、ラインクロックのタイミングで切り換えスイッＲＳ１を切り換えて行走査線９１を走査する走査電圧、（Ｅ）は、ラインクロックのタイミングで切り換えスイッチＲＳ２を切り換えて行走査線９２を走査する走査電圧である。
【００２１】
また、ネガティブ表示状態及びポジティブ表示状態における発光パネル２に表示される画像を図６に示す。図６中、（Ａ）は、ポジティブ表示状態の画像を示し、（Ｂ）は、ネガティブ表示状態の画像を示している。
【００２２】
本発明の実施形態によれば、列方向に並行して配列された列走査線８１、８２、８３行方向に並行して配列された行走査線９１、９２、９３、列走査線８１、８２、８３と行走査線９１、９２、９３との交差部にマトリクス状に配置され、有機ＥＬ素子Ｍのアノード１０が列走査線８１、８２、８３に、カソード１１が行走査線９１、９２、９３に接続された有機ＥＬ素子Ｍを有する複数の画素ＰＸを含む発光パネル２と、ネガティブ表示状態のデータクロックを出力するクロック発生回路３と、クロック発生回路３から出力されたデータクロックの周期を１／Ｎ（Ｎは正の数）にして、ポジティブ表示状態の１／Ｎデータクロックを出力する１／Ｎ分周回路４と、クロック発生回路３から出力されたデータクロックに対して１／Ｎ分周回路４から出力された１／ＮデータクロックをＮ倍の時間で切り換えるスイッチＳＷと、スイッチＳＷで切り換えられたデータクロック或いは１／Ｎデータクロックに基づいてラインクロックを発生するラインクロック発生回路５と、データクロック或いは１／Ｎデータクロックに基づいて階調データに応じた時間だけオンして発光パネル２の列走査線８１、８２、８３に電流を供給する陽極ドライブ回路６と、１ライン分の階調データが全て出力された後、ラインクロック発生回路５から発生するラインクロックのタイミングで走査電圧を発光パネル２の行走査線９１、９２、９３に供給して有機ＥＬ素子Ｍを発光させる陰極ドライブ回路７と、からなるので、ポジティブ表示状態の時間に比較して、ネガティブ表示状態の時間を１／Ｎに短くすることができるため、不快感がなく、かつ焼き付けを生じない表示装置１が得られる。
【００２３】
【発明の効果】
本発明によれば、列方向に並行して配列された複数の列走査線、行方向に並行して配列された複数の行走査線、前記複数の列走査線と前記複数の行走査線との交差部にマトリクス状に配置され、アノードが前記複数の列走査線に、カソードが前記複数の行走査線に接続された有機ＥＬ素子を有する複数の画素を含む発光パネルと、ネガティブ表示状態の第１のデータクロックを出力する第１クロック発生回路と、前記第１のデータクロックの周期を１／Ｎ（Ｎは正の数）にして、ポジティブ表示状態の第２のデータクロックを出力する第２クロック発生回路と、
前記第１クロック発生回路から出力された第１のデータクロックに対して前記第２クロック発生回路から出力された第２のデータクロックをＮ倍の時間で切り換えるスイッチと、前記第１或いは第２のデータクロックに基づいて、ラインクロックを発生するラインクロック発生回路と、前記第１或いは第２のデータクロックに基づいて、階調データに応じた時間だけオンして前記複数の列走査線に電流を供給する第１ドライブ回路と、１ライン分の階調データが全て出力された後、前記ラインクロック発生回路からラインクロックで走査電圧を前記複数の行走査線に供給して、前記有機ＥＬ素子を発光させる第２ドライブ回路と、からなるので、ポジティブ表示状態の時間に比較して、ネガティブ表示状態の時間を１／Ｎと短くすることができるため、不快感がなく、かつ焼き付けを生じない表示装置が得られる。
【図面の簡単な説明】
【図１】本発明の実施形態における表示装置を示す概略ブロック図である。
【図２】図１における発光パネル近傍の拡大図である。
【図３】階調データ、データクロック及びラインクロックの関係を示す図である。
【図４】ポジティブ表示状態の時、陽極ドライブ回路及び陰極ドライブ回路内のスイッチの切り換え時間を示す図である。
【図５】ネガティブ表示状態の時、陽極ドライブ回路及び陰極ドライブ回路内のスイッチの切り換え時間を示す図である。
【図６】ネガティブ表示状態及びポジティブ表示状態における画像を示す図である。
【符号の説明】
１…表示装置、２…発光パネル、３…クロック発生回路（第１クロック発生回路）、４…１／Ｎ分周回路（第２クロック発生回路）、５…ラインクロック発生回路、６…陽極ドライブ回路（第１ドライブ回路）、７…陰極ドライブ回路（第２ドライブ回路）、８１、８２、８３…列走査線、９１、９２、９３…行走査線、１０…アノード、１１…カソード、ＳＷ…スイッチ、ＣＳ１、ＣＳ２、ＣＳ３、ＲＳ１、ＲＳ２、ＲＳ３…切り換えスイッチ、Ｍ…有機ＥＬ素子、ＰＸ…画素
【図１】
2004151188.tif 000003
【図２】
2004151188.tif 000004
【図３】
2004151188.tif 000005
【図４】
2004151188.tif 000006
【図５】
2004151188.tif 000007
【図６】
2004151188.tif 000008